(57)【要約】      （修正有）【課題】一体に連結され、写真にシワなどが発生することがないアルバムを提供する。【解決手段】積み重ねた複数の中身と、該積み重ねた中身の外側を被覆するように設ける表紙とを含んでなり、該中身が適宜なサイズの２枚の台紙と、該台紙の上下をそれぞれ被覆するように設け、台紙と適宜に連結するフィルムと、該フィルムの上下の中央の折り線の両側に隣接するように設けるテープとを具えてなり、該中身の内側に設けるテープは写真を位置決めするために供し、外側のテープは積み重ねた中身及び表紙の上下で位置決めするために供し、適宜な熱と圧力を加えて形成する構造からなる。【選択図】図１
0003127613.tif 000002
【実用新案登録請求の範囲】
【請求項１】
積み重ねた複数の中身と、該積み重ねた中身の外側を被覆するように設ける表紙とを含んでなり、
該中身が適宜なサイズの２枚の台紙と、該台紙の上下をそれぞれ被覆するように設け、台紙と適宜に連結するフィルムと、該フィルムの上下の中央の折り線の両側に隣接するように設けるテープとを具えてなり、
該中身の内側に設けるテープは写真を位置決めするために供し、外側のテープは積み重ねた中身及び表紙の上下
で位置決めするために供し、適宜な熱と圧力を加えて形成する構造からなることを特徴とするアルバム。
【請求項２】
前記中身を構成する２枚の台紙の間に形成された適宜な空間が、中身をめくる場合の揺動領域になることを特徴とする請求項１に記載のアルバム。
【請求項３】
前記中身と表紙が圧力と熱を一度加えるだけで成型できることを特徴とする請求項１に記載のアルバム。
【請求項４】
前記中身の上下に粘着されたテープが両面テープであることを特徴とする請求項１に記載のアルバム。
【請求項５】
前記中身の表面に設けられるフィルムが熱を加えると粘着するプラスチック材料からなることを特徴とする請求項１に記載のアルバム。
【請求項６】
前記中身が積み重ねて設けると隣接する面がテープで互いに粘着されることを特徴とする請求項１に記載のアルバム。
【考案の詳細な説明】
【技術分野】
【０００１】
この考案は、アルバムに関し、特に写真を収納して閲覧できるようにするアルバムに関する。
【背景技術】
【０００２】
アルバムは、特別な記念日を記録した写真、子供の成長を記録した写真、個人を撮影した写真から結婚式用の写真などを納めるものとして、業者が積極的に市場を拡大してきた。その結果、それぞれの目的に合わせた市場において人々に受け入れられるようになった。特に結婚式用のアルバムでは、結婚式を挙げる男女が結婚式前に必ず準備をするような商品になるとともに、業者の積極的な販売により必要な撮影写真の枚数が１０枚から１００枚以上になった。
【０００３】
しかしながら、これらの写真は撮影及び焼き増しの費用以外に、装丁、製本のコストが必要になる。また、装丁、製本のステップが複雑であるため、大幅な費用が加算され、消費者にとって大きな経済的負担になっている。
【考案の開示】
【考案が解決しようとする課題】
【０００４】
この考案は、一体に連結され、写真にシワなどが発生することがないアルバムを提供することを課題とする。
【課題を解決するための手段】
【０００５】
そこで、本考案者は従来の技術に見られる欠点に鑑みて鋭意研究を重ねた結果、積み重ねた複数の中身と、該積み重ねた中身の外側を被覆するように設ける表紙とを含んでなり、
該中身が適宜なサイズの２枚の台紙と、該台紙の上下をそれぞれ被覆するように設け、台紙と適宜に連結するフィルムと、該フィルムの上下の中央の折り線の両側に隣接するように設けるテープとを具えてなり、
該中身の内側に設けるテープは写真を位置決めするために供し、外側のテープは積み重ねた中身及び表紙の上下
で位置決めするために供し、適宜な熱と圧力を加えて形成する構造によって課題を解決できる点に着眼し、かかる知見に基づいて本考案を完成させた。
【０００６】
以下、この考案について具体的に説明する。
請求項１に記載のアルバムは、積み重ねた複数の中身と、該積み重ねた中身の外側を被覆するように設ける表紙とを含んでなり、
該中身が適宜なサイズの２枚の台紙と、該台紙の上下をそれぞれ被覆するように設け、台紙と適宜に連結するフィルムと、該フィルムの上下の中央の折り線の両側に隣接するように設けるテープとを具えてなり、
該中身の内側に設けるテープは写真を位置決めするために供し、外側のテープは積み重ねた中身及び表紙の上下
で位置決めするために供し、適宜な熱と圧力を加えて形成する構造からなる。
【０００７】
請求項２に記載のアルバムは、請求項１における中身を構成する２枚の台紙の間に形成された適宜な空間が、中身をめくる場合の揺動領域になる。
【０００８】
請求項３に記載のアルバムは、請求項１における中身と表紙が圧力と熱を一度加えるだけで成型できる。
【０００９】
請求項４に記載のアルバムは、請求項１における中身の上下に粘着されたテープが両面テープである。
【００１０】
請求項５に記載のアルバムは、請求項１における中身の表面に設けられるフィルムが熱を加えると粘着するプラスチック材料からなる。
【００１１】
請求項６に記載のアルバムは、請求項１における中身が積み重ねて設けると隣接する面がテープで互いに粘着される。
【考案の効果】
【００１２】
この考案によるアルバムは、一体に連結する簡単な構造からなるため、大量の労力を削減することができ、消費者の経済的負担を大幅に抑えることができるという効果を有する。
【００１３】
また、この考案のアルバムは、写真を平らに位置決めすることができるため、写真の美観を損ねることがないという効果を有する。
【考案を実施するための最良の形態】
【００１４】
この考案は、一体に連結され、写真と台紙との間にシワなどが発生することがないアルバムであって、積み重ねた複数の中身と、該積み重ねた中身の外側を被覆するように設ける表紙とを含んでなり、該中身が適宜なサイズの２枚の台紙と、該台紙の上下をそれぞれ被覆するように設け、台紙と適宜に連結するフィルムと、該フィルムの上下の中央の折り線の両側に隣接するように設けるテープとを具えてなり、該中身の内側に設けるテープは写真を位置決めするために供し、外側のテープは積み重ねた中身及び表紙の上下で位置決めするために供し、適宜な熱と圧力を加えて形成する構造と特徴を詳述するために具体的な実施例を挙げ、図示を参照にして以下に説明する。
【実施例】
【００１５】
図１は、この考案のアルバムの中身の構造を開示する。図面によれば、アルバムは中身３０と、該中身３０の上下中央に隣接するように設けるテープ３６、３７と、該中身３０の上方に設ける写真４０とを含んでなる。
【００１６】
該中身３０は、適宜なサイズの２枚の台紙３１、３２と、該台紙３１、３２の上下に設けて台紙３１、３２を被覆する熱溶解性を具えたフィルム３３、３４から構成する。該フィルム３３、３４は適宜な温度で加熱すると、連結して、台紙３１、３２との間に適宜な空間が残され、該空間は中身３０をめくる場合の揺動領域に供することができる。
【００１７】
台紙３１、３２と、該台紙３１、３２の上下に設けられたフィルム３３、３４から構成される中身３０は、該中身３０の上下に設けられるテープ３６、３７は両面テープを主な粘着手段とする。中身３０の上方に設けるテープ３６は、上方の局部に写真４０を位置決めするために供し、下方のテープ３７は図２に開示するように、それぞれの中身３０’ を折り畳んで、上下に積み重ねる場合、上下の対応する位置に設けられたテープ３７、３７’ を互いに粘着させて全体を位置決めする目的を達成する。
【００１８】
図３は、図２で積み重ねたアルバムの中身を組み合わせた状態を示したものである。図面によれば、アルバムの中身３０、３０’ はそれぞれ積み重ねて、適宜に位置決めした後、予め製作しておいた表紙５０を中身３０の外側を被覆するように設けて、両面テープ３７で貼着して位置決めする。
【００１９】
図３に開示した中身３０などと表紙５０を図４に開示するように位置決めした後、表紙５０の上下面に加熱圧力器で適宜な熱と圧力を一度加えると、積み重ねられた隣接する中身３０、３０’ の表面のフィルム３３、３４（図１参照）が溶接され、隣接する中身３０、３０’と写真４０とが連結され、図４に開示するようなアルバム６０が完成される。
【００２０】
該アルバム６０が完成すると、図５に開示するように、中身３０、３０’ はそれぞれの中身３０、３０’ が隣接し、緊密に連結された状態になる。中身をめくる場合、台紙３１と台紙３２との間に空間が残されているため、該空間にすぐに皺が発生して折り線４１が形成されるため、内側に貼られた写真４０に皺が発生することなく写真４０全体の美観を損なうことがない。
【００２１】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００２２】
【図１】この考案のアルバムの中身の構造を示した斜視図である。
【図２】この考案のアルバムの中身を積み重ねた状態を示した斜視図である。
【図３】この考案のアルバムの中身と表紙を組み合わせる状態を示した説明図である。
【図４】この考案のアルバムの中身と表紙を組み合わせた状態を示した斜視図である。
【図５】この考案のアルバムを開いた状態を示した斜視図である。
【符号の説明】
【００２３】
３０ 中身
３０’ 中身
３１、３２ 台紙
３３、３４ フィルム
３６、３７、３７’ テープ 
４０ 写真
４１ 折り線
５０ 表紙
６０ アルバム
【図１】
0003127613.tif 000003
【図２】
0003127613.tif 000004
【図３】
0003127613.tif 000005
【図４】
0003127613.tif 000006
【図５】
0003127613.tif 000007